(57)【特許請求の範囲】
【請求項１】
双方向に通信を行う第１リングネットワーク上の通信経路である第１方路及び第２方路と、前記第１リングネットワークとは異なる第２リングネットワーク上の通信経路である第３方路とが接続された伝送装置であって、
信号光を終端する第１終端部、及び前記第２方路へ信号光を出力する第２出力部へ、前記第１方路から入力された信号光を分岐して出力する第１分岐部と、
信号光を終端する第２終端部、前記第１方路へ信号光を出力する第１出力部、及び前記第３方路へ信号光を出力する第３出力部へ、前記第２方路から入力された信号光を分岐して出力する第２分岐部と、
信号光を終端する第３終端部、及び前記第２出力部へ、前記第３方路から入力された信号光を分岐して出力する第３分岐部と、
前記第３分岐部が前記第２出力部へ出力した信号光に、前記第２方路へ新たに出力される信号光を多重化する第１多重化部と、
前記第２出力部及び前記第３終端部に、前記第１多重化部が多重化した信号光を分岐して出力する第５分岐部と、
前記第２分岐部が前記第３出力部に出力した信号光に、前記第３方路へ新たに出力される信号光を多重化する第２多重化部と、
前記第３出力部及び前記第２終端部に、前記第２多重化部が多重化した信号光を分岐して出力する第６分岐部と
を有することを特徴とする伝送装置。
【請求項２】
前記伝送装置は、前記第１方路及び第２方路とは異なる前記第２リングネットワーク上の通信経路である前記第３方路及び第４方路が接続され、
信号光を終端する第４終端部、及び前記第３出力部へ、前記第４方路から入力された信号光を分岐して出力する第４分岐部を有し、
前記第３分岐部は、前記第３終端部、前記第２出力部、及び前記第４方路へ信号光を出力する第４出力部へ、前記第３方路から入力された信号光を分岐して出力する
ことを特徴とする請求項１に記載の伝送装置。
【請求項３】
前記第１終端部は、入力された信号光を電気信号に変換して出力し、
入力された電気信号を信号光に変換して前記第３出力部に入力する入力部へ、前記第１終端部が出力した電気信号を伝達する伝達部
を有することを特徴とする請求項２に記載の伝送装置。
【請求項４】
前記第３終端部及び前記第２出力部へ、前記第３分岐部が前記第２出力部に出力した信号光を分岐して出力する第５分岐部と、
前記第５分岐部が前記第２出力部へ出力した信号光に、前記第２方路へ新たに出力される信号光を多重化する第１多重化部と、
前記第２終端部及び前記第３出力部へ、前記第２分岐部が前記第３出力部に出力した信号光を分岐して出力する第６分岐部と、
前記第６分岐部が前記第３出力部へ出力した信号光に、前記第３方路へ新たに出力される信号光を多重化する第２多重化部と
を有することを特徴とする請求項２又は３に記載の伝送装置。
【請求項５】
双方向に通信を行う第１リングネットワーク上の通信経路である第１方路及び第２方路と、前記第１リングネットワークとは異なる第２リングネットワーク上の通信経路である第３方路とが接続された伝送装置が、
信号光を終端する第１終端部、及び前記第２方路へ信号光を出力する第２出力部へ、前記第１方路から入力された信号光を分岐して出力し、
信号光を終端する第２終端部、前記第１方路へ信号光を出力する第１出力部、及び前記第３方路へ信号光を出力する第３出力部へ、前記第２方路から入力された信号光を分岐して出力し、
信号光を終端する第３終端部、及び前記第２出力部へ、前記第３方路から入力された信号光を分岐して出力し、
前記第２出力部へ出力した信号光に、前記第２方路へ新たに出力される信号光を多重化し、
前記第２出力部及び前記第３終端部に、前記第２方路へ新たに出力される、多重化した信号光を分岐して出力し、
前記第３出力部に出力した信号光に、前記第３方路へ新たに出力される信号光を多重化し、
前記第３出力部及び前記第２終端部に、前記第３方路へ新たに出力される、多重化した信号光を分岐して出力する
処理を実行することを特徴とする伝送制御方法。
【発明の詳細な説明】
【技術分野】
【０００１】
本発明は、伝送装置及び伝送制御方法に関する。
【背景技術】
【０００２】
近年、通信事業者向けの伝送装置（以下、ノードともいう）として、光伝送ネットワーク（OTN：Optical  Transport  Network）等に対応する伝送装置が提供されている。また、双方向に通信可能な光伝送ネットワークで複数の伝送装置をリング状に接続した双方向リングネットワークの技術が知られている。
【０００３】
そのような双方向リングネットワークに接続された伝送装置には、双方向リングネットワーク上の通信経路である第１の方路及び第２の方路が接続される。例えば、伝送装置は、１つの信号光を２つに分岐させる１×２光カプラを用いて、第１の方路から受信した信号光を２つの信号光に分岐させる。また、伝送装置は、分岐させた信号光のうち、一方の信号光を終端して出力し、他方の信号光を第２の方路に分配する。そして、伝送装置は、２つの信号光を１つの信号光に多重化する２×１ＷＳＳ（Wavelength  Selective  Switch）を用いて、第２の方路に分配した信号光、及び他の伝送装置へ送信する信号光を多重化して第２の方路へ出力する。
【０００４】
ここで、双方向リングネットワーク及び他の光伝送ネットワークを連結して光伝送ネットワークを拡張した場合、各ネットワークのハブとなる伝送装置（以下、ハブノードともいう）は、いずれかの方路から受信した信号光を他の全ての方路へ分配する。例えば、２つの双方向リングネットワークが接続されたハブノードには、一方の双方向リングネットワーク上の通信経路である第１の方路及び第２の方路と、他方の双方向リングネットワーク上の通信経路である第３の方路および第４の方路が接続される。
【０００５】
そのようなハブノードは、１つの信号光を４つの信号光に分岐させる１×４光カプラを用いて、第１の方路から受信した信号光を４つの信号光に分岐させる。そして、ハブノードは、分岐させた信号光のうちいずれか１つの信号光を終端して出力し、残り３つの信号光を第２の方路、第３の方路及び第４の方路に分配する。
【０００６】
同様に、ハブノードは、第２の方路、第３の方路、及び第４の方路から受信した信号光をそれぞれ４つに分岐させ、分岐させた１つの信号光を終端し、残り３つの信号光を、受信した方路とは異なる方路に分配する。そして、ハブノードは、例えば、４つの信号光を１つの信号光に多重化する４×１ＷＳＳを用いて、第２の方路、第３の方路及び第４の方路から第１の方路に分配された３つの信号光、及び他の伝送装置へ送信する信号光を多重化し、第１の方路へ出力する。
【先行技術文献】
【特許文献】
【０００７】
【特許文献１】特開２００６−０８７０６２号公報
【特許文献２】特開２０１０−２８３４４６号公報
【発明の概要】
【発明が解決しようとする課題】
【０００８】
しかしながら、上述した技術では、光伝送ネットワークの拡張に伴い、信号光の分岐先が増加するので、ポート数が多い光カプラやＷＳＳを要する。その結果、例えば、光伝送ネットワークの拡張に伴うコストが増加してしまう。
【０００９】
１つの側面では、コストを増加させずに光伝送ネットワークの拡張を実現する伝送装置及び伝送制御方法を提供することを目的とする。
【課題を解決するための手段】
【００１０】
一つの態様では、伝送装置は、双方向に通信を行うリングネットワーク上の通信経路である第１方路及び第２方路と、第１方路及び第２方路とは異なるネットワーク上の通信経路である第３方路とが接続された伝送装置である。また、伝送装置は、第１分岐部、第２分岐部及び第３分岐部を有する。第１分岐部は、信号光を終端する第１終端部、及び第２方路へ信号光を出力する第２出力部へ、第１方路から入力された信号光を分岐して出力する。第２分岐部は、信号光を終端する第２終端部、第１方路へ信号光を出力する第１出力部、及び第３方路へ信号光を出力する第３出力部へ、第２方路から入力された信号光を分岐して出力する。第３分岐部は、信号光を終端する第３終端部、及び第２出力部へ、第３方路から入力された信号光を分岐して出力する。
【発明の効果】
【００１１】
１つの側面では、コストを増加させずに光伝送ネットワークの拡張を実現できる。
【図面の簡単な説明】
【００１２】
【図１】図１は、実施例１に係る光伝送ネットワークの一例を示すブロック図である。
【図２】図２は、ハブノードが有する機能構成の一例を説明するブロック図である。
【図３】図３は、スイッチ部が有する機能構成の一例を説明するブロック図である。
【図４】図４は、ハブノードが通信を中継する処理の一例を説明する説明図である。
【図５】図５は、伝送ネットワークで生じる障害の一例を説明する説明図である。
【図６】図６は、ハブノードが実行する処理の一例を説明するブロック図である。
【図７】図７は、拡張前のハブノードが有する機能構成の一例を説明する説明図である。
【図８】図８は、拡張準備の一例を説明する説明図である。
【図９】図９は、光伝送ネットワークの拡張処理の一例を説明する図である。
【図１０】図１０は、従来のハブノードが有する機能構成の一例を説明する図である。
【図１１】図１１は、実施例２に係る光伝送ネットワークの一例を示すブロック図である。
【図１２】図１２は、ハブノードが有する機能構成の他の例を説明するブロック図である。
【図１３】図１３は、実施例３に係るハブノードが有する機能構成の一例を説明するブロック図である。
【発明を実施するための形態】
【００１３】
以下に図面を参照して、本発明にかかる伝送装置及び伝送制御方法の実施の形態を詳細に説明する。実施形態において同一の機能を有する構成には同一の符号を付し、重複する説明は省略する。なお、以下の実施例は、一例を示すに過ぎず、本願の開示する伝送装置の実施の形態が限定されるものではない。また、以下の各実施形態は、矛盾しない範囲内で適宜組み合わせてもよい。
【実施例１】
【００１４】
図１は、実施例１に係る光伝送ネットワークの一例を示すブロック図である。図１に示すように、光伝送ネットワーク１は、ノード２、ノード３、ノード４及びハブノード１０を円環状に接続したリングネットワーク１ａを有する。また、光伝送ネットワーク１は、ノード５、ノード６、ノード７及びハブノード１０を円環状に接続したリングネットワーク１ｂを有する。
【００１５】
ここで、リングネットワーク１ａでは、ノード２とノード３、ノード３とノード４、ノード４とハブノード１０、及びハブノード１０とノード２の間が双方向通信可能な光伝送ネットワークで接続される。また、リングネットワーク１ｂでは、ノード５とノード６、ノード６とノード７、ノード７とハブノード１０、及びハブノード１０とノード５の間が双方向通信可能な光伝送ネットワークで接続される。なお、光伝送ネットワークは、ＷＤＭ（Wavelength  Division  Multiplex)を用いた通信により実現される。
【００１６】
なお、以下の説明では、リングネットワーク１ａのうち、ハブノード１０及びノード４を接続する双方向の通信経路を方路＃１と記載し、ハブノード１０及びノード２を接続する双方向の通信経路を方路＃２と記載する。また、リングネットワーク１ｂのうち、ハブノード１０及びノード７を接続する双方向の通信経路を方路＃３と記載し、ハブノード１０及びノード５を接続する双方向の通信経路を方路＃４と記載する。
【００１７】
ノード２〜７及びハブノード１０は、光伝送ネットワークを介して、波長が異なる複数の信号光を多重化した波長多重信号光を送受信する。例えば、ノード２は、図示を省略した制御装置から、ノード２が用いる信号光の波長の指示を受付ける。その場合、ノード２は、ノード３から受信した波長多重信号光を２つに分岐させ、分岐させた波長多重信号光の一方を波長分割し、制御装置から指示された波長の信号光をノード２宛ての信号光として受信する。また、ノード２は、分岐させた他方の波長多重信号光に他のノード３〜７やハブノード１０に送信する信号光を多重化し、多重化した波長多重信号光をハブノード１０に出力する。
【００１８】
同様に、ノード２は、ハブノード１０から受信した波長多重信号光を２つに分岐させ、一方の波長多重信号光を波長分割してノード２宛ての信号光を取得する。また、ノード２は、分割させた他方の波長多重信号光に、他のノード３〜７やハブノード１０に送信する信号光を多重化し、多重化した波長多重信号光をノード３に出力する。また、他のノード３〜７は、ノード２と同様に、受信した波長多重信号光を２つに分岐させ、一方の波長多重信号光から自装置宛ての信号光を取得し、他方の波長多重信号光に送信対象となる信号光を多重化して出力する。
【００１９】
ハブノード１０は、リングネットワーク１ａ、１ｂのハブとなるノードであり、例えば、ＲＯＡＤＭ（Reconfigurable  Optical  Add/Drop  Multiplexer）である。具体的には、図１に示すハブノード１０は、方路＃１から受信した波長多重信号光を方路＃２に出力し、方路＃３及び方路＃４には出力しない。また、ハブノード１０は方路＃２から受信した波長多重信号光を方路＃１と方路＃３とに伝達し、方路＃４には出力しない。また、ハブノード１０は、方路＃３から受信した波長多重信号光を方路＃２と方路＃４とに伝達し、方路＃１には出力しない。また、ハブノード１０は、方路＃４から受信した波長多重信号光を方路＃３に出力し、方路＃１及び方路＃２には出力しない。
【００２０】
すなわち、ハブノード１０は、各方路＃１〜＃４を相互に接続せず、リングネットワーク１ａ、１ｂを超えた光伝送の経路を方路＃２及び方路＃３を介した経路に制限する。そのようなハブノード１０は、波長多重信号光の分岐先の数を制限できるので、少ないノード数の光カプラやＷＳＳでリングネットワーク１ａ、１ｂを相互に接続できる。その結果、ハブノード１０は、ネットワークを拡張する際のコストを軽減できる。
【００２１】
なお、リングネットワーク１ａ、１ｂは、各ノード２〜７及びハブノード１０を環状に接続する。そのため、ハブノード１０は、方路＃１及び方路＃３、方路＃１及び方路＃４、方路＃２及び方路＃３、又は方路＃２及び方路＃４を介した経路のいずれか１つを中継すれば、各ノード２〜７及びハブノード１０間の双方向通信を実現できる。
【００２２】
スイッチ部５０は、有線若しくは無線ＬＡＮ（Local  Area  Network）を介してハブノード１０に接続するクライアントと、ハブノード１０との通信を中継する中継装置である。例えば、スイッチ部５０は、図示を省略したクライアントから送信対象となるデータを含む電気信号を受信すると、受信した電気信号をハブノード１０に出力する。その場合、ハブノード１０は、電気信号を信号光に変換し、変換した信号光を他のノード２〜７へ送信する。また、ハブノード１０は、ハブノード１０宛ての信号光を電気信号に変換し、変換後の電気信号をスイッチ部５０に出力する。その場合、スイッチ５０は、送信先となるクライアントに受信した電気信号を伝達する。
【００２３】
ここで、ハブノード１０は、方路＃２及び方路＃３を介した経路を介して、波長多重信号光を伝達する。このため、ノード２〜４及びノード５〜７は、方路＃２又は方路＃３で障害が生じた場合には、リングネットワーク１ａ、１ｂを超えた光通信を行えない。そこで、ハブノード１０は、方路＃１から受信した波長多重信号光を電気信号に変換する。一方、スイッチ部５０は、方路＃３へ送信するデータの電気信号を受付けるポートに、方路＃１から受信した波長多重信号光の電気信号を伝達する。その結果、ハブノード１０は、方路＃１からハブノード１０が受信した波長多重信号光を、方路＃３へ出力することができるので、方路＃２で障害が生じた場合にも、リングネットワーク１ａ、１ｂを超えて波長多重信号光を伝達できる。
【００２４】
次に、ハブノード１０の一例について説明する。図２は、ハブノードが有する機能構成の一例を説明するブロック図である。図２に示すハブノード１０は、第１終端部１１、第２終端部１２、第３終端部１３、第４終端部１４、第１挿入部１５、第２挿入部１６、第３挿入部１７、及び第４挿入部１８を有する。また、ハブノード１０は、複数の分岐部２０〜２３、複数の合波部２４〜２７、第１中継部３０、及び第２中継部３３を有する。また、第１中継部３０は、合波部３１及び分岐部３２を有する。また、第２中継部３３は、合波部３４及び分岐部３５を有する。
【００２５】
なお、以下の説明では、第１終端部１１、第２終端部１２、第３終端部１３、及び第４終端部１４を終端部１１〜１４と記載する場合がある。また、以下の説明では、第１挿入部１５、第２挿入部１６、第３挿入部１７、及び第４挿入部１８を挿入部１５〜１８と記載する場合がある。
【００２６】
終端部１１〜１４は、分岐部２０〜２３から入力された波長多重信号光の終端処理を行う。例えば、終端部１１〜１４は、入力された波長多重信号光を波長が異なる複数の信号光に分割し、波長多重信号光を波長ごとに分割した信号光からハブノード１０が通信に用いる波長の信号光を選択する。そして、終端部１１〜１４は、選択した信号光を電気信号に変換し、変換後の電気信号をスイッチ部５０に出力する。
【００２７】
なお、第１終端部１１には、ハブノード１０が方路＃１から受信した波長多重信号光が入力され、第２終端部１２には、ハブノード１０が方路＃２から受信した波長多重信号光が入力される。また、第３終端部１３には、ハブノード１０が方路＃３から受信した波長多重信号光が入力され、第４終端部１４には、ハブノード１０が方路＃４から受信した波長多重信号光が入力される。
【００２８】
挿入部１５〜１８は、各方路＃１〜＃４へ新たに送信されるデータの電気信号をスイッチ部５０から受信すると、受信した電気信号を信号光に変換し、変換後の信号光を合波部２４〜２７に出力する。例えば、第１挿入部１５は、方路＃１へ出力される信号光として、変換後の信号光を合波部２４に出力する。また、第２挿入部１６は、方路＃２へ出力される信号光として、変換後の信号光を合波部２５に出力する。また、第３挿入部１７は、方路＃３へ出力される信号光として、変換後の信号光を合波部２６に出力する。また、第４挿入部１８は、方路＃４へ出力される信号光として、変換後の信号光を合波部２７に出力する。
【００２９】
分岐部２０〜２３、３２、３５は、入力された１つの信号光を２つの信号光に分岐させる。分岐部２０〜２３、３２、３５は、例えば、入力側に１つ、出力側に２つのポートを有する１×２光カプラにより実現される。また、合波部２４〜２７、３１、３４は、入力された２つの信号光を多重化し、１つの信号光を出力する。合波部２４〜２７、３１、３４は、例えば、入力側に２つ、出力側に１つのポートを有する２×１ＷＳＳにより実現される。
【００３０】
ここで、分岐部２０は、第１終端部１１及び合波部２５に、方路＃１から受信した波長多重信号光を分岐して出力する。また、分岐部２１は、合波部２４及び第２中継部３３の合波部３４に、方路＃２から受信した波長多重信号光を分岐して出力する。また、分岐部２２は、合波部２７及び第１中継部３０の合波部３１に、方路＃３から受信した波長多重信号光を分岐して出力する。また、分岐部２３は、第４終端部１４及び合波部２６に、方路＃４から受信した波長多重信号光を分岐して出力する。
【００３１】
合波部３１は、第２挿入部１６から入力された信号光、及び分岐部２２から入力された波長多重信号光を多重化し、多重化した波長多重信号光を分岐部３２に出力する。そして、分岐部３２は、合波部２５及び第３終端部１３に、合波部３１から入力された波長多重信号光を分岐して出力する。
【００３２】
すなわち、合波部３１は、合波部２５から方路＃２へ出力される波長多重信号光として分岐部２２が出力した波長多重信号光に、第２挿入部１６から入力された波長多重信号光を多重化する。そして、分岐部３２は、合波部２５から方路＃２へ出力される波長多重信号光として合波部３１が出力した波長多重信号光を分岐させ、合波部２５及び第３終端部１３に出力する。
【００３３】
合波部３４は、第３挿入部１７から入力された信号光、及び分岐部２１から入力された波長多重信号光を多重化し、多重化した波長多重信号光を分岐部３５に出力する。そして、分岐部３５は、合波部２６及び第２終端部１２に、合波部３４から入力された波長多重信号光を分岐して出力する。
【００３４】
すなわち、合波部３４は、合波部２６から方路＃３へ出力される波長多重信号光として分岐部２１が出力した波長多重信号光に、第３挿入部１７から入力された波長多重信号光を多重化する。そして、分岐部３５は、合波部２６から方路＃３へ出力される波長多重信号光として合波部３４が出力した波長多重信号光を分岐させ、合波部２６及び第２終端部１２に出力する。
【００３５】
また、合波部２４は、第１挿入部１５から入力された信号光、及び分岐部２１から入力された波長多重信号光を多重化し、多重化した波長多重信号光を方路＃１から出力する。また、合波部２５は、分岐部３２から入力された波長多重信号光、及び分岐部２０から入力された波長多重信号光を多重化し、多重化した波長多重信号光を方路＃２から出力する。また、合波部２６は、分岐部３５から入力された波長多重信号光、及び分岐部２３から入力された波長多重信号光を多重化し、多重化した波長多重信号光を方路＃３から出力する。また、合波部２７は、第４挿入部１８から入力された信号光、及び分岐部２２から入力された波長多重信号光を多重化し、多重化した波長多重信号光を方路＃４から出力する。
【００３６】
次に、図３を用いて、スイッチ部５０の一例を説明する。図３は、スイッチ部が有する機能構成の一例を説明するブロック図である。スイッチ部５０は、ライン側インターフェース５１、電気スイッチ５２、クライアント側インターフェース５３を有する。また、スイッチ部５０は、ライン側インターフェース５１を介してハブノード１０と接続し、クライアント側インターフェース５３を介して、クライアント５６〜５９と接続する。
【００３７】
ライン側インターフェース５１は、複数の入力ポート５４ａ〜５４ｄ、及び複数の出力ポート５５ａ〜５５ｄを有する。クライアント側インターフェース５３は、複数の入力ポート５４ｅ〜５４ｈ、及び複数の出力ポート５５ｅ〜５５ｈを有する。
【００３８】
入力ポート５４ａ〜５４ｄは、ハブノード１０が有する終端部１１〜１４が信号光から変換した電気信号を受信すると、受信した電気信号を電気スイッチ５２に出力する。また、入力ポート５４ｅ〜５４ｈは、接続されたクライアント５６〜５９から、ハブノード１０から他のノード２〜７へ送信するデータの電気信号を受信すると、受信した電気信号を電気スイッチ５２に出力する。
【００３９】
出力ポート５５ａ〜５５ｄは、電気スイッチ５２から電気信号を受信すると、受信した電気信号をハブノード１０が有する挿入部１５〜１８に出力する。また、出力ポート５５ｅ〜５５ｈは、電気スイッチ５２から電気信号を受信すると、受信した電気信号を接続されたクライアント５６〜５９に出力する。
【００４０】
電気スイッチ５２は、各入力ポート５４ａ〜５４ｈ、及び各出力ポート５５ａ〜５５ｈを接続する電気スイッチであり、例えば、クロスバスイッチ等で実現される。そのような電気スイッチ５２は、電気信号の送信先に基づいて、各入力ポート５４ａ〜５４ｈから入力された電気信号を、各出力ポート５５ａ〜５５ｈに伝達する。
【００４１】
例えば、電気スイッチ５２は、クライアント５６が方路＃３へ出力するデータの電気信号を入力ポート５４ｅに入力した場合は、第３終端部１３と接続された入力ポート５４ｃに対し、入力された電気信号を伝達する。また、クライアント５８を送信先とするデータの信号光を方路＃２からハブノード１０が受信した場合は、電気スイッチ５２には、第２終端部１２から入力ポート５４ｂを介して、データの電気信号が入力される。そのような場合、電気スイッチ５２は、入力されたデータの電気信号を、クライアント５８に出力する出力ポート５５ｇに伝達する。
【００４２】
また、電気スイッチ５２は、方路＃２に障害が発生した場合は、第１終端部１１から入力ポート５４ａに入力された電気信号を、出力ポート５５ｃに伝達し、第３挿入部１７に出力させる。この結果、スイッチ部５０は、方路＃２に障害が生じた際に、方路＃１から受信した波長多重信号光のデータを、方路＃３へ出力させることができる。
【００４３】
なお、上述した電気スイッチ５２の処理は、送受信の対象となるデータのヘッダ等を解析することで、電気スイッチ５２が自律的に実行してもよく、電気スイッチ５２が制御装置からの指示に従って実行してもよい。
【００４４】
次に、ハブノード１０がリングネットワーク１ａ、１ｂ間の通信を中継する処理の一例について説明する。図４は、ハブノードが通信を中継する処理の一例を説明する説明図である。図４に示すように、ハブノード１０は、リングネットワーク１ａ、１ｂ間の光通信を方路＃２、及び方路＃３を介した経路に制限する。一方、ノード２〜４は、図４の細実線及び太実線で示すように、双方向に通信可能な円環状のリングネットワーク１ａで接続され、ノード５〜７は、図４の細点線及び太点線で示すように、双方向に通信可能な円環状のリングネットワーク１ｂで接続される。
【００４５】
例えば、図４中（Ａ）に示すように、ノード２〜４及びハブノード１０は、図４の太実線で示す経路を介し、ノード２、ハブノード１０、ノード４、ノード３、ノード２の順で通信可能である。また、ノード２〜７及びハブノード１０は、図４の太実線及び太点線で示す経路を介し、ノード４、ノード３、ノード２、ハブノード１０、ノード７、ノード６、ノード５の順で通信可能である。また、ノード５〜７及びハブノード１０は、図４の太点線で示す経路を介し、ノード５、ハブノード１０、ノード７、ノード６、ノード５の順で通信可能である。
【００４６】
また、例えば、図４中（Ｂ）に示すように、ノード２〜４及びハブノード１０は、図４の細実線で示す経路を介し、ノード２、ノード３、ノード４、ハブノード１０、ノード２の順で通信可能である。また、ノード２〜７、及びハブノード１０は、図４の細点線及び細実線で示す経路を介し、ノード５、ノード６、ノード７、ハブノード１０、ノード２、ノード３、ノード４の順で通信可能である。また、ノード５〜７及びハブノード１０は、図４の細点線で示す経路を介し、ノード５、ノード６、ノード７、ハブノード１０、ノード５の順で通信可能である。
【００４７】
上述したように、各ノード２〜７及びハブノード１０は、図４に示す経路を介し、通信することができる。そのため、各ノード２〜７及びハブノード１０は、ハブノード１０がリングネットワーク１ａ、１ｂ間の光通信を方路＃２、及び方路＃３を介した経路に制限した場合にも、任意のノード間で双方向通信を実現できる。
【００４８】
ここで、図５は、伝送ネットワークで生じる障害の一例を説明する説明図である。例えば、図５中（Ａ）で示すように、方路＃２で障害が発生し、ハブノード１０及びノード２が通信できなくなった場合には、各ノード２〜７は、リングネットワーク１ａ、１ｂを超えた光通信を行うことができない。例えば、図５中（Ｂ）に示すように、ハブノード１０は、方路＃１から方路＃３や方路＃４へ波長多重信号光を中継しないので、例えば、ノード４からノード７に信号光を送信できない。
【００４９】
そこで、ハブノード１０は、方路＃２で障害が生じた場合に、方路＃１から受信した波長多重信号光を電気信号に変換し、スイッチ部５０に出力する。その場合、スイッチ部５０は、方路＃３へ送信するデータの電気信号を入力するポート、すなわち第３挿入部１７に、受信した電気信号を伝達する。その結果、ハブノード１０は、第３挿入部１７から入力された電気信号を信号光に変換し、方路＃３に出力するので、方路＃１から受信したデータを方路＃３へ出力することができる。
【００５０】
図６は、ハブノードが実行する処理の一例を説明するブロック図である。例えば、分岐部２０は、方路＃２に障害が生じた場合は、方路＃１から受信した波長多重信号光を分岐させ、一方を第１終端部１１に出力する。その場合、第１終端部１１は、受信した波長多重信号光を終端し、電気信号に変換してスイッチ部５０に出力する。
【００５１】
一方、スイッチ部５０は、受信した電気信号を第３挿入部１７に伝達する。その場合、第３挿入部１７は、受信した電気信号を波長多重信号光に変換し、変換後の波長多重信号光を第２中継部３３を介して、合波部２６に出力する。その結果、ハブノード１０は、方路＃１から受信した波長多重信号光を方路＃３へ出力できる。
【００５２】
次に、図７〜図９を用いて、リングネットワーク１ａとリングネットワーク１ｂとを接続することで、光伝送ネットワーク１を拡張する処理の一例について説明する。図７は、拡張前のハブノードが有する機能構成の一例を説明する説明図である。図８は、拡張準備の一例を説明する説明図である。図９は、光伝送ネットワークの拡張処理の一例を説明する図である。なお、以下の説明では、リングネットワーク１ａ、１ｂに、ノード２と同様の機能を発揮するハブノード１０ａ、１０ｂが設置され、ハブノード１０ａ、１０ｂを接続することで、図１に示すハブノード１０として動作させる処理の一例を説明する。
【００５３】
例えば、リングネットワーク１ａに設置されたハブノード１０ａは、図７に例示する機能構成を有する。具体的には、ハブノード１０ａは、第１終端部１１、第２終端部１２、第１挿入部１５、第２挿入部１６、分岐部２０、２１、及び合波部２４、２５を有する。
【００５４】
分岐部２０は、第１終端部１１及び合波部２５に、方路＃１から受信した波長多重信号光を分岐して出力する。また分岐部２１は、第２終端部１２及び合波部２４に、方路＃２から受信した波長多重信号光を分岐して出力する。一方、合波部２４は、分岐部２１から受信した波長多重信号光、及び第１挿入部１５から受信した信号光を多重化し、多重化した波長多重信号光を方路＃１に出力する。また、合波部２５は、分岐部２０から受信した波長多重信号光、及び第２挿入部１６から受信した信号光とを多重化し、多重化した波長多重信号光を方路＃２に出力する。
【００５５】
リングネットワーク１ａとリングネットワーク１ｂとを接続する場合、リングネットワーク１ａに設置されたハブノード１０ａには、図８に示すように、第１中継部３０及び第２中継部３３が追加される。具体的には、図８中の点線で示すように、第１中継部３０の合波部３１には、第２挿入部１６が出力する信号光が入力され、第１中継部３０の分岐部３２が出力する波長多重信号光が合波部２５に入力される。また、第２中継部３３の合波部３４には、分岐部２１が出力する波長多重信号光が入力され、分岐部３５が出力する波長多重信号光が第２終端部１２に入力される。
【００５６】
一方、リングネットワーク１ｂのハブノード１０ｂは、図７に示すハブノード１０ａと同様の機能構成を有する。そして、ハブノード１０ｂは、ハブノード１０ａと同様に、第１中継部３０及び第２中継部３３との接続が追加される。具体的には、ハブノード１０ｂは、図９に示すように、第３終端部１３、第４終端部１４、第３挿入部１７、第４挿入部１８、分岐部２２、２３、及び合波部２６、２７を有する。
【００５７】
第３挿入部１７は、信号光を第２中継部３３の合波部３４に入力する。第２中継部３３の分岐部３５は、波長多重信号光を合波部２６に入力する。また、分岐部２２は、分岐させた波長多重信号光を第１中継部３０の合波部３１に入力する。また、第１中継部３０の分岐部３２は、分岐させた波長多重信号光を第３終端部１３に入力する。この結果、ハブノード１０ａ及びハブノード１０ｂは、図２に示すハブノード１０として動作する。
【００５８】
ここで、図８中の点線で示す接続を追加する際、方路＃１及び方路＃２を流れる波長多重信号光が阻害されない。同様に、図９中の点線で示す接続を追加する際、方路＃３及び方路＃４を流れる波長多重信号光が阻害されない。そのため、ハブノード１０ａ、１０ｂは、リングネットワーク１ａ、１ｂを運用したままで、光伝送ネットワーク１の拡張を実現できる。
【００５９】
一方、図１０は、従来のハブノードが有する機能構成の一例を説明する図である。例えば、従来のハブノード７０は、終端部１１〜１４、挿入部１５〜１８、分岐部６０〜６３、及び合波部６４〜６７を有する。図１０に示すハブノード７０は、各方路＃１〜＃４から受信した波長多重信号光を他の全ての方路へと伝達する。
【００６０】
例えば、分岐部６０は、方路＃２〜＃４から波長多重信号光を出力する合波部６５〜６７及び第１終端部１１に、方路＃１から受信した波長多重信号光を分配して出力する。また、他の分岐部６１〜６３も同様に、波長多重化信号光を受信した方路以外の３つの方路、及び波長多重化信号光を終端する出力部に波長多重信号光を分岐して出力する。そのため、分岐部６０〜６３は、入力された信号光を４つに分岐させる１×４光カプラにより実現される。また、ハブノード７０が有する合波部６４〜６７は、波長多重信号光を出力する方路以外の全ての方路から入力された３つの波長多重信号光、及び出力するデータの信号光を多重化する。そのため、合波部６４〜６７は、４つの信号光を多重化する４×１ＷＳＳにより実現される。
【００６１】
上述のように、ハブノード７０は、各方路＃１〜＃４から受信した波長多重信号光を、他の全ての方路へと伝達する。そのため、ハブノード７０は、ポート数が多い光カプラやＷＳＳを要するため、光伝送ネットワーク１を拡張する際のコストを増大させてしまう。
【００６２】
一方、上述したハブノード１０は、リングネットワーク１ａ、１ｂを超えた通信を行う際の経路を、方路＃２及び方路＃３を介した経路に限定する。より具体的には、上述したように、ハブノード１０は、双方向に通信を行うリングネットワーク１ａ上の通信経路である方路＃１及び方路＃２と、リングネットワーク１ｂ上の通信経路である方路＃３及び方路＃４とが接続される。また、ハブノード１０は、分岐部２０〜２３を有する。
【００６３】
分岐部２０は、第１終端部１１、及び方路＃２へ信号光を出力する合波部２５へ、方路＃１から受信した信号光を分岐して出力する。また、分岐部２１は、第２終端部１２、方路＃１へ信号光を出力する合波部２４、及び方路＃３へ信号光を出力する合波部２６へ、方路＃２から受信した信号光を分岐して出力する。また、分岐部２２は、第３終端部１３、方路＃４へ信号光を出力する合波部２７、及び方路＃２へ信号光を出力する合波部２５へ、方路＃３から受信した信号光を分岐して出力する。また、分岐部２３は、第４終端部１４、及び方路＃３へ信号光を出力する合波部２６へ、方路＃４から受信した信号光を分岐して出力する。
【００６４】
そのため、ハブノード１０は、リングネットワーク１ａにリングネットワーク１ｂを接続する際に必要な光カプラやＷＳＳのポート数を削減できる。例えば、ハブノード１０は、１×２光カプラ及び２×１ＷＳＳを２セット追加するだけで、リングネットワーク１ａとリングネットワーク１ｂとを接続することができる。この結果、ハブノード１０は、コストを増加させずに光伝送ネットワークの拡張を実現できる。
【００６５】
なお、ハブノード１０は、例えば、１×２光カプラや２×１ＷＳＳ等、ハブノード１０ａが使用する部品を用いて、光伝送ネットワークを拡張できるので、新たな部品を準備する必要が無く、スモールスタートを実現できる。また、ハブノード１０は、リングネットワーク１ａ、１ｂ同士を接続するので、リングネットワーク１ａ、１ｂを超えた通信を行う際の経路を、方路＃２及び方路＃３を介した経路に限定しても、各ノード２〜７の双方向通信を実現できる。
【００６６】
また、第１終端部１１は、方路＃１から受信した波長多重信号光を電気信号に変換する。そして、スイッチ部５０は、第１終端部１１が出力した電気信号を第３挿入部１７に伝達する。このため、ハブノード１０は、例えば、方路＃２に障害が生じた場合にも、各ノード２〜７の双方向通信を継続することができる。
【００６７】
また、ハブノード１０は、合波部３１、３４、分岐部３２、３５を有する。合波部３１は、分岐部２２が合波部２５へ出力した波長多重信号光、及び第２挿入部１６が出力した信号光を多重化する。分岐部３２は、合波部２５及び第３終端部１３に、合波部３１が多重化した波長多重信号光を分岐して出力する。合波部３４は、分岐部２１が合波部２６へ出力した波長多重信号光、及び第３挿入部１７が出力した信号光を多重化する。分岐部３５は、合波部２６及び第２終端部１２に、合波部３４が多重化した波長多重信号光を分岐して出力する。そのため、ハブノード１０は、１×２光カプラ及び２×１ＷＳＳを用いて、リングネットワーク１ａ、１ｂを接続できるので、光伝送ネットワーク１の拡張に伴うコストをさらに削減できる。
【００６８】
尚、上述のハブノード１０は、２つのリングネットワーク１ａ、１ｂを接続した。しかしながら、実施形態は、これに限定されるものではない。例えば、ハブノード１０は、任意の数のネットワークや任意の形態のネットワークを接続してもよい。そこで、以下の実施例２では、１つのリングネットワークと、双方向に通信可能な線形のネットワークとを接続するハブノードについて説明する。
【実施例２】
【００６９】
図１１は、実施例２に係る光伝送ネットワークの一例を示すブロック図である。図１１に示す例では、光伝送ネットワーク１ｃは、リングネットワーク１ａ、及び、線形ネットワーク１ｄとをハブノード１０ｃが接続する形態を有する。ここで、線形ネットワーク１ｄは、双方向に通信可能な態様で、ハブノード１０ｃ、ノード８、ノード９を線形に接続したネットワークである。
【００７０】
図１１に示す光伝送ネットワーク１ｃでは、ハブノード１０ｃには、リングネットワーク１ａの通信経路である方路＃１と方路＃２、及び、線形ネットワーク１ｄの通信経路である方路＃３とが接続される。そのような光伝送ネットワーク１ｃでは、ハブノード１０ｃは、方路＃１から受信した波長多重信号光を方路＃２に出力し、方路＃２から受信した波長多重信号光を方路＃１及び方路＃３に出力し、方路＃３から受信した波長多重信号光を方路＃２に出力する。すなわち、ハブノード１０ｃは、リングネットワーク１ａ及び線形ネットワーク１ｄを超えた通信経路を、方路＃２及び方路＃３を介する経路に限定する。
【００７１】
ここで、光伝送ネットワーク１ｃは、リングネットワーク１ａ及び線形ネットワーク１ｄを超えた通信経路を、方路＃２及び方路＃３を介する経路に限定された場合にも、各ノード２〜４、８、９の双方向通信を保障することができる。例えば、光伝送ネットワーク１ｃは、ノード９、ノード８、ハブノード１０ｃ、ノード２、ノード３、ノード４の順に、波長多重信号光を伝送することができる。
【００７２】
次に、図１２を用いて、ハブノード１０ｃが有する機能構成の一例を説明する。図１２は、ハブノードが有する機能構成の他の例を説明するブロック図である。図１２に示す例では、ハブノード１０ｃは、終端部１１〜１３、挿入部１５〜１７、分岐部２０〜２２、３２、３５、及び合波部２４〜２６、３１、３４を有する。すなわち、ハブノード１０ｃは、図２に示したハブノード１０が有する機能構成のうち、分岐部２３、合波部２７、第４終端部１４、第４挿入部１８を有さない機能構成を有する。
【００７３】
そのような構成では、分岐部２２は、方路＃３から受信した波長多重信号光を合波部２５に出力する。一方、合波部３１は、分岐部２２が合波部２５に出力した波長多重信号光を、第２挿入部１６からの信号光と多重化する。そして、分岐部３２は、合波部２５及び第３終端部１３に、合波部３１が多重化した波長多重信号光を分岐して出力する。また、合波部２６は、分岐部３５から受信した波長多重信号光を方路＃３に出力する。
【００７４】
上述したように、ハブノード１０ｃは、双方向に通信を行うリングネットワーク１ａ上の通信経路である方路＃１及び方路＃２と、線形ネットワーク１ｄ上の通信経路である方路＃３とが接続される。また、ハブノード１０ｃは、分岐部２０〜２２を有する。
【００７５】
分岐部２０は、第１終端部１１、及び方路＃２へ信号光を出力する合波部２５へ、方路＃１から受信した信号光を分岐して出力する。また、分岐部２１は、第２終端部１２、方路＃１へ信号光を出力する合波部２４、及び方路＃３へ信号光を出力する合波部２６へ、方路＃２から受信した信号光を分岐して出力する。また、分岐部２２は、第３終端部１３、及び方路＃２へ信号光を出力する合波部２５へ、方路＃３から受信した信号光を分岐して出力する。
【００７６】
上述したハブノード１０ｃは、少ないポートを有する光カプラやＷＳＳで、リングネットワーク１ａと線形ネットワーク１ｄとを接続することができる。例えば、ハブノード１０ｃは、１×２光カプラ及び２×１ＷＳＳを２セット追加するだけで、リングネットワーク１ａと線形ネットワーク１ｄとを接続することができる。このため、ハブノード１０ｃは、光伝送ネットワーク１ｃの拡張に伴うコストを削減できる。
【００７７】
なお、上述したハブノード１０、１０ｃは、分岐部２１が合波部２６に出力した波長多重信号光と第３挿入部１７が出力した信号光とを合波し、第２終端部１２及び合波部２６に、合波した波長多重信号光を分岐して出力する第２中継部３３を有する。また、上述したハブノード１０、１０ｃは、分岐部２２が合波部２５に出力した波長多重信号光と第２挿入部１６が出力した信号光とを合波し、第３終端部１３及び合波部２５に、合波した波長多重信号光を分岐して出力する第１中継部３０を有する。しかしながら、実施例はこれに限定されるものではない。そこで、以下の説明では、第１中継部３０及び第２中継部３３のバリエーションを実施例３として説明する。
【実施例３】
【００７８】
図１３は、実施例３に係るハブノードが有する機能構成の一例を説明するブロック図である。図１３に示すように、ハブノード１０ｄは、第１中継部３０ａ及び第２中継部３３ａを有する。第１中継部３０ａは、合波部３１ａ及び分岐部３２ａを有する。また、第２中継部３３ａは、合波部３４ａ、及び分岐部３５ａを有する。
【００７９】
分岐部３２ａは、合波部３１ａ及び第３終端部１３に、分岐部２２が出力した波長多重信号光を分岐して出力する。合波部３１ａは、分岐部３２ａが出力した波長多重信号光、及び第２挿入部１６が出力した信号光を多重化し、合波部２５に出力する。また、分岐部３５ａは、合波部３４ａ及び第２終端部１２に、分岐部２１が出力した波長多重信号光を分岐して出力する。合波部３４ａは、分岐部３５ａが出力した波長多重信号光、及び第３挿入部１７が出力した信号光を多重化し、合波部２６に出力する。
【００８０】
すなわち、分岐部３２ａは、合波部２５及び第３終端部１３に、分岐部２２が合波部２５に出力した波長多重信号光を分岐して出力する。合波部３１ａは、分岐部３２ａが合波部２５に出力した波長多重信号光、及び第２挿入部１６が出力した信号光を多重化し、合波部２５に出力する。分岐部３５ａは、合波部２６、及び第２終端部１２に、分岐部２１が合波部２６に出力した波長多重信号光を分岐して出力する。合波部３４ａは、分岐部３５ａが合波部２６に出力した波長多重信号光及び第３挿入部１７が出力した信号光を多重化し、合波部２６に出力する。
【００８１】
このため、ハブノード１０ｄは、方路＃２及び方路＃３に出力する波長多重信号光の強度が低下するのを防ぐごとができる。例えば、光カプラによって分岐された波長多重信号光の強度は、入力された波長多重信号光の強度と比較して低下する。このため、図２に示すハブノード１０は、分岐部３２により分岐された波長多重信号光を合波部２５から方路＃２に出力するので、方路＃３から方路＃２に出力される波長多重信号光の強度を低下させてしまう。
【００８２】
一方、ハブノード１０ｄは、方路＃３から受信した波長多重信号光を分岐部３２ａで先に分岐させ、その後、合波部３１ａで方路＃２から出力数データの信号光と多重化した後に、合波部２５に出力する。この結果、合波部２５に出力される波長多重信号光の強度が、合波部３１ａでの多重化により増幅されるので、ハブノード１０ｄは、方路＃３から方路＃２に出力される波長多重信号光の強度の低下を防ぐことができる。
【実施例４】
【００８３】
これまで本発明の実施例について説明したが、実施例は、上述した実施例以外にも様々な異なる形態にて実施されてよいものである。そこで、以下では実施例４として他の実施例を説明する。
【００８４】
［分岐部及び合波部について］
上述したハブノード１０、１０ｃ、１０ｄは、１×２光カプラ及び２×１ＷＳＳを用いて、各方路＃１〜＃４から受信した波長多重信号光を分岐させ、他の方路から受信した波長多重信号光を多重化して出力した。しかしながら、実施例はこれに限定されるものではない。例えば、ハブノード１０、１０ｃ、１０ｄは、１×２光カプラ及び２×１ＷＳＳの多段構成ではなく、例えば、１×３光カプラ等を組み合わせて用いてもよい。ハブノード１０、１０ｃ、１０ｄは、双方向リングネットワーク、及び他のネットワークを接続する際に、通信経路を限定することで、各ネットワークのノード間での双方向通信を実現しつつ、ネットワークの拡張に伴うコストを削減できる。
【００８５】
［ネットワークの拡張について］
また、上述したハブノード１０、１０ｃ、１０ｄは、双方向リングネットワークと他のネットワークとを接続するのであれば、任意の数のネットワークや任意の形態のネットワークを接続して良い。例えば、ハブノード１０は、３つの双方向リングネットワークを接続してもよい。
【００８６】
［機能構成について］
上述した処理のうち、自動的に行われるものとして説明した処理の全部又は一部を手動的におこなうこともできる。あるいは、手動的におこなわれるものとして説明した処理の全部又は一部を公知の方法で自動的におこなうこともできる。この他、上記文書中や図面中で示した処理手順、具体的名称、各種のデータやパラメータを含む情報については、特記する場合を除いて任意に変更することができる。
【００８７】
また、図示した各装置の各構成要素は機能概念的なものであり、必ずしも物理的に図示の如く構成されていることを要しない。すなわち、各装置の分散や統合の具体的形態は図示のものに限られない。つまり、その全部又は一部を、各種の負荷や使用状況などに応じて、任意の単位で機能的又は物理的に分散・統合して構成することができる。
【００８８】
また、各装置にて行なわれる各処理機能は、その全部又は任意の一部が、ＣＰＵ及び当該ＣＰＵにて解析実行されるプログラムにて実現され、あるいは、ワイヤードロジックによるハードウェアとして実現され得る。
【符号の説明】
【００８９】
１、１ｃ  光伝送ネットワーク
１ａ、１ｂ  リングネットワーク
１ｄ  線形ネットワーク
２〜９  ノード
１０、１０ａ〜１０ｄ、７０  ハブノード
１１〜１４  終端部
１５〜１８  挿入部
２０〜２３、３２、３５  分岐部
２４〜２７、３１、３４  合波部
【図１】
0006623527.tif 000002
【図２】
0006623527.tif 000003
【図３】
0006623527.tif 000004
【図４】
0006623527.tif 000005
【図５】
0006623527.tif 000006
【図６】
0006623527.tif 000007
【図７】
0006623527.tif 000008
【図８】
0006623527.tif 000009
【図９】
0006623527.tif 000010
【図１０】
0006623527.tif 000011
【図１１】
0006623527.tif 000012
【図１２】
0006623527.tif 000013
【図１３】
0006623527.tif 000014